(57)【要約】      （修正有）【課題】外的衝撃が作用した場合に、緩衝部材を起因としたトラバース機構の変位を抑制可能な光ディスク装置を提供する。【解決手段】光ディスク装置１は光ディスクを回転させる回転機構３９と、光ディスクにレーザ光を照射すると共にレーザ光の反射光を受光する光ピックアップ３３と、光ピックアップを光ディスクの径方向に案内する案内機構３１とを有するトラバース機構３と、トラバース機構が底面上に取り付けられる筐体２と、トラバース機構と底面との間に配置されトラバース機構に生じる振動を和らげる緩衝部材６と、底面と緩衝部材との間に配置され緩衝部材に振動が伝達されたときにトラバース機構の変位を規制する突出片を有し底面とトラバース機構との間の距離が一定となるようにトラバース機構を保持するスペーサ７ａと７ｂとを備える。【選択図】図１
2010170603.tif 000002
【特許請求の範囲】
【請求項１】
光ディスクを回転させる回転機構と、前記光ディスクにレーザ光を照射すると共に前記レーザ光の反射光を受光する光ピックアップと、前記光ピックアップを前記光ディスクの径方向に案内する案内機構と、を有するトラバース機構と、
前記トラバース機構が底面上に取り付けられる筐体と、
前記トラバース機構と前記底面との間に配置され、前記トラバース機構に生じる振動を和らげる緩衝部材と、
前記底面と前記緩衝部材との間に配置され、前記緩衝部材に前記振動が伝達されたときに、前記トラバース機構の変位を規制する突出片を有し、前記底面と前記トラバース機構との間の距離が一定となるように前記トラバース機構を保持するスペーサと、
を備えることを特徴とする光ディスク装置。
【請求項２】
前記スペーサは、前記突出片として、前記底面に平行な第１方向へ前記トラバース機構が変位することを規制する第１突出片と、前記底面に垂直な第２方向へ前記トラバース機構が変位することを規制する第２突出片と、を備えることを特徴とする請求項１に記載の光ディスク装置。
【請求項３】
前記トラバース機構は、前記トラバース機構、前記緩衝部材、前記スペーサに夫々設けられた第１軸孔、第２軸孔、第３軸孔を貫通し、前記トラバース機構を前記緩衝部材及び前記スペーサを介して前記底面上に取り付けるための軸部材、を更に備えることを特徴とする請求項１又は２に記載の光ディスク装置。
【請求項４】
前記トラバース機構は、複数の端部の夫々に前記第１軸孔を有し、
前記スペーサは、前記トラバース機構を前記底面上に取り付けるべく、前記軸部材が前記第１乃至第３軸孔を貫通した際に、前記第１突出片が前記トラバース機構の第１方向の変位を規制する端面と対向すると共に前記第２突出片が前記トラバース機構の第２方向の変位を規制する端面と対向するように回動可能である、ことを特徴とする請求項３に記載の光ディスク装置。
【請求項５】
前記底面は、前記筐体の内部側に突出する絞り部を有し、
前記絞り部は、前記軸部材が貫通する第４軸孔を有し、
前記トラバース機構は、前記軸部材が第１乃至第４軸孔を貫通することによって、前記絞り部上に取り付けられる、ことを特徴とする請求項３又は４に記載の光ディスク装置。
【発明の詳細な説明】
【技術分野】
【０００１】
本発明は、光ディスク装置に関する。
【背景技術】
【０００２】
例えば、ＣＤ（Compact Disc）、ＤＶＤ（Digital Versatile Disc）、ＢＤ（Blu-ray Disc（登録商標））等の光ディスクに対して情報の記録又は再生を行う光ディスク装置は、パーソナルコンピュータやテレビ等の電子機器に内蔵される等、広く利用されている。
【０００３】
光ディスク装置は、光ディスクを回転させつつ光ピックアップを同ディスクの径方向に案内するトラバース機構等が筐体に固定されて構成されている。
【０００４】
特に、このトラバース機構と筐体との間に例えばゴム等の弾性体からなる緩衝部材を介在させることによって、例えば光ディスクの回転に伴うトラバース機構の振動や周囲から筐体を介してトラバース機構に伝わる振動等を吸収して、光ピックアップと光ディスクとの間の情報の記録や再生等に係る信号の乱れを抑制したり、周囲の電子機器への影響を抑制したりする光ディスク装置が知られている（例えば、特許文献１参照）。
【先行技術文献】
【特許文献】
【０００５】
【特許文献１】特開２００６−１２３２９号公報
【発明の概要】
【発明が解決しようとする課題】
【０００６】
しかしながら、前述した光ディスク装置では、例えば搬送等の際に同装置の外部から衝撃が加えられた場合には、むしろ緩衝部材が介在することによって、筐体内でトラバース機構が大きく変位してしまい、光ピックアップ等がこの変位による衝撃を受けて破壊される虞があった。
【課題を解決するための手段】
【０００７】
前述した課題を解決する主たる発明は、光ディスクを回転させる回転機構と、前記光ディスクにレーザ光を照射すると共に前記レーザ光の反射光を受光する光ピックアップと、前記光ピックアップを前記光ディスクの径方向に案内する案内機構とを有するトラバース機構と、前記トラバース機構が底面上に取り付けられる筐体と、前記トラバース機構と前記底面との間に配置され、前記トラバース機構に生じる振動を和らげる緩衝部材と、前記底面と前記緩衝部材との間に配置され、前記緩衝部材に前記振動が伝達されたときに、前記トラバース機構の変位を規制する突出片を有し、前記底面と前記トラバース機構との間の距離が一定となるように前記トラバース機構を保持するスペーサとを備える光ディスク装置である。  
本発明の他の特徴については、添付図面及び本明細書の記載により明らかとなる。
【発明の効果】
【０００８】
本発明によれば、緩衝部材によりトラバース機構の振動を吸収可能であると共に、特に外的衝撃が作用した場合に、緩衝部材を起因としたトラバース機構の変位を抑制可能な光ディスク装置を提供できる。
【図面の簡単な説明】
【０００９】
【図１】（ａ）は、本実施形態に係る光ディスク装置の平面図であり、（ｂ）は、（ａ）に示す光ディスク装置のＡ−Ａ’での部分断面図である。
【図２】本実施形態に係る光ディスク装置の分解斜視図である。
【図３】搬送機構を除いた光ディスク装置の平面図である。
【図４】図３に示す光ディスク装置のＢ−Ｂ’での部分断面図である。
【図５】図３に示す光ディスク装置の円形状の点線で囲まれる部分のＣ−Ｃ’での部分断面図である。
【図６】スペーサの構成例を示す図である。
【図７】その他のスペーサの構成例を示す図である。
【図８】剛体基板及び金属板が取り付けられた場合の本実施形態に係る光ディスク装置の斜視図である。
【発明を実施するための形態】
【００１０】
本明細書及び添付図面の記載により、少なくとも以下の事項が明らかとなる。
【００１１】
===光ディスク装置===
図１及び図２を参照しつつ、本実施形態に係る光ディスク装置１の構成例について説明する。図１（ａ）は、本実施形態に係る光ディスク装置１の平面図である。図１（ｂ）は、図１（ａ）に示す光ディスク装置１の同図に示すＡ−Ａ’での部分断面図である。図２は、本実施形態に係る光ディスク装置１の分解斜視図である。尚、図１及び図２では、ｘ軸は、光ディスク装置１の「奥行き方向」を示し、ｙ軸は、光ディスク装置１の「幅方向」を示し、ｚ軸は、光ディスク装置１の「厚さ方向」を示している。また、ｘ軸、ｙ軸、ｚ軸において、矢印の向く側を「＋側」と称し、この矢印の向く側と反対側を「−側」と称する。これらは、本明細書における以後の全ての図のｘ軸、ｙ軸、ｚ軸についても同様である。
【００１２】
光ディスク装置１は、例えば、ＤＶＤ等の光ディスク１００に情報を記録したり、その記録情報を再生したりするものであり、例えば、光ディスク１００に対する信号処理を制御するための剛体基板（不図示）及び電磁波を遮蔽する金属板２１（後述する図８）が取り付けられた状態でテレビやオーディオ装置等の本体に内蔵される。
【００１３】
具体的には、光ディスク装置１は、トラバース機構３と、筐体２と、緩衝部材６と、スペーサ７ａ、７ｂとを備えている。また、光ディスク装置１は、搬送機構４を更に備え、同搬送機構４によって光ディスク挿入口４１から光ディスク装置１の内部の信号処理位置（図１（ａ）の円形状の点線で示す位置）まで光ディスク１００を搬送する。搬送機構４は、後述するように筐体２に取り付けられた際に同搬送機構４の筐体２の外部に露出する面を覆って電磁波を遮蔽する金属板４３を有している。
【００１４】
<<<トラバース機構>>>
トラバース機構３は、光ディスク１００の信号記録面に対して情報の記録又は再生を行うための構成として、回転機構３９と、光ピックアップ３３と、案内機構３１とを備え、更に剛体基板と光ピックアップ３３とを電気的に接続する例えば可撓性基板３７を備えている。また、トラバース機構３は、筐体２の底面上に取り付けられるための構成として、第１軸孔５０ａ、５０ｂ、５０ｃ、５０ｄと、ネジ５（軸部材）とを備えている。
【００１５】
回転機構３９は、信号処理位置にある光ディスク１００を回転駆動する。具体的には、回転機構３９は、ターンテーブル３５と、スピンドルモータ３６とを有している。ターンテーブル３５は、搬送機構４により光ディスク１００が信号処理位置に搬送されると、同光ディスク１００の中心部を、同搬送機構４のクランパ（不図示）との間に狭持（チャッキング）するようになっている。スピンドルモータ３６は、ターンテーブル３５に固着されたロータ軸３６ａを有し、同ロータ軸３６ａを介してターンテーブル３５を回転駆動する。
【００１６】
光ピックアップ３３は、信号処理位置における光ディスク１００の信号記録面に対して、不図示のレーザ光源から出射される情報の記録又は再生用のレーザ光を対物レンズ３４により集光すると共に、このレーザ光が光ディスク１００によって反射された反射光を対物レンズ３４を介して受光する。尚、光ピックアップ３３は、後述するように、案内機構３１によって光ディスク１００の径方向に案内されるが、本実施形態では、この径方向を、図１（ａ）のｘ軸から反時計方向に所定の角度傾いた動径方向Ｒとして定義する。また、この動径方向Ｒにおいて、光ディスク１００の外周側を−側と定義すると共に、同光ディスク１００の内周側を＋側と定義する。尚、動径方向Ｒはｘ軸方向と平行であってもよい（即ち、光ピックアップ３３は後述する案内機構３１によって光ディスク装置１の奥行き方向に案内されるものであってもよい）。光ピックアップ３３は、動径方向Ｒの−側の端部に、可撓性基板３７の一方側が取り付けられる接続部３３ａを有している。
【００１７】
案内機構３１は、光ピックアップ３３を動径方向Ｒに沿って案内するために以下述べる構成を有している。
【００１８】
尚、本実施形態に係る案内機構３１は、この光ピックアップ３３を案内するための構成の他に、前述した回転機構３９を支持するための構成を有している。即ち、この案内機構３１は、筐体２の底板の内側（底面上）に後述するように固定されていると共に、ターンテーブル３５の中心が図１（ｂ）に示される信号処理位置での光ディスク１００の回転軸を定める直線ａ−ａ’を通るように回転機構３９を支持している。尚、筐体２の底板とは、同筐体２のｚ軸方向−側の板を意味する。
【００１９】
案内機構３１は、光ピックアップ３３を動径方向Ｒに移動可能に支持している。具体的には、案内機構３１は、その略中央に光ピックアップ３３の移動経路に応じた形状の開口３０が形成されていると共に、ガイド軸３２ａ、３２ｂを有している。ガイド軸３２ａ、３２ｂは、例えば一対の金属棒であり、光ピックアップ３３を挟んで対向し且つ開口３０上に動径方向Ｒと平行に配置されている。このガイド軸３２ａ、３２ｂに対し、光ピックアップ３３は、動径方向Ｒに沿って摺動可能に取り付けられている。
【００２０】
光ピックアップ３３を移動させるための動力源として、案内機構３１は、例えば、ステップモータ（不図示）と、同ステップモータのロータ軸に固着されてガイド軸３２ａ、３２ｂと平行に配置されたリードスクリュー（不図示）と、光ピックアップ３３に固設されたラック３８とを有している。このラック３８とリードスクリューのネジ溝との噛合によって、ステップモータの回転運動が、光ピックアップ３３の動径方向Ｒに沿った並進移動に変換される。尚、光ピックアップ３３を前述したように並進移動させる構成として、リードスクリュー及びラック３８に代えて、ラックピニオンが用いられてもよい。
【００２１】
以上の構成により、案内機構３１は、光ピックアップ３３を、対物レンズ３４が光ディスク１００の信号記録面に対向しつつ同信号記録面の最内周側と最外周側との間を動径方向Ｒに沿って往復するように駆動する。この案内機構３１による光ピックアップ３３の駆動と、回転機構３９による光ディスク１００の回転駆動とによって、同光ディスク１００の信号記録面の全面において情報の記録又は再生が行われることになる。
【００２２】
第１軸孔５０ａ乃至５０ｄは、例えばトラバース機構３の４隅に夫々形成されている、切欠を有する４つの孔であり、例えば後述する緩衝部材６の溝６１の内径と略等しい径を有する。トラバース機構３の４隅のうち、奥行き方向＋側且つ幅方向−側に第１軸孔５０ａが形成され、奥行き方向＋側且つ幅方向＋側に第１軸孔５０ｂが形成され、奥行き方向−側且つ幅方向−側に第１軸孔５０ｃが形成され、奥行き方向−側且つ幅方向＋側に第１軸孔５０ｄが形成されている。
【００２３】
ネジ５は、トラバース機構３の第１軸孔５０ａ乃至５０ｄと、後述する緩衝部材６の第２軸孔６０と、後述するスペーサ７ａ、７ｂの第３軸孔７０と、後述する絞り部２４ａ乃至２４ｄの第４軸孔２０とを介して、トラバース機構３を筐体２の底面上に取り付けるための部材である。具体的には、ネジ５は、図２に例示されるように、第２軸孔６０及び第３軸孔７０より大きい径を有する頭部５ａと、第４軸孔２０より大きく第２軸孔６０及び第３軸孔７０より例えば僅かに小さい径を有する軸部５ｃと、第４軸孔２０より例えば僅かに小さい径を有する雄ネジ部５ｂと、雄ネジ部５ｂと螺合可能な雌ネジ５ｄ（後述する図５）とを有している。
【００２４】
<<<筐体、緩衝部材、スペーサ>>>
筐体２は、例えば電磁波を遮蔽する金属板で形成された略直方形状をなす箱体であり、トラバース機構３が固定される底面と、同底面と略平行な開口とを有している。尚、本実施形態に係る光ディスク装置１では、前述したテレビやオーディオ装置等に内蔵される際、必ずしも筐体２の底面が鉛直方向の下側になるように配置される必要はなく、例えば、筐体２の幅方向の＋側又は−側の端面が下側を向くように配置されてもよい。
【００２５】
筐体２の開口には、搬送機構４が取り付けられている。具体的には、筐体２の開口の縁には、図１（ａ）に例示される所定位置に、内向きの突片２２ａ、２２ｂが設けられており、搬送機構４は、この突片２２ａ、２２ｂとのネジ止め等によって取り付けられている。また、筐体２の開口の搬送機構４が取り付けられていない部分の縁には、図１（ａ）に例示される所定位置に、内向きの突片２３ａ、２３ｂが設けられており、この突片２３ａ、２３ｂとのネジ止め等によって剛体基板及び金属板２１が取り付けられるようになっている。
【００２６】
筐体２の底面には、同筐体２の内部側に突出するように例えば絞り加工等によって絞り部２４ａ、２４ｂ、２４ｃ、２４ｄが形成されている。尚、絞り部２４ａ、２４ｂ、２４ｃ、２４ｄの「ａ」乃至「ｄ」は、前述したトラバース機構３の４隅の第１軸孔５０ａ乃至５０ｄの「ａ」乃至「ｄ」と夫々対応している。スペーサ７ａ及び緩衝部材６は、絞り部２４ａ、２４ｂの夫々の上に配置され、スペーサ７ｂ及び緩衝部材６は、絞り部２４ｃ、２４ｄの夫々の上に配置されている。
【００２７】
図３乃至図７を参照しつつ、緩衝部材６及びスペーサ７ａ、７ｂについて、より詳細に説明する。尚、図３は、搬送機構４を除いた光ディスク装置１の平面図である。図４は、図３に示す光ディスク装置１の同図に示すＢ−Ｂ’での部分断面図である。図５は、図３に示す光ディスク装置１の同図に示す円形状の点線で囲まれる部分のＣ−Ｃ’での部分断面図である。図６は、スペーサ７ａの構成例を示す図であり、図７は、スペーサ７ｂの構成例を示す図である。
【００２８】
絞り部２４ａ乃至２４ｄの夫々の上面には、第４軸孔２０が形成されている。  
緩衝部材６は、例えばシリコンゴム等の弾性体から形成された略円筒形状の部材であり、同部材６の近傍で発生する振動を同部材６自体の弾性変形によって吸収し和らげる。具体的には、緩衝部材６は、図２及び図５に例示されるように、厚さ方向に貫通する第２軸孔６０と、略円筒形状の側面に環状に形成される溝６１とを有している。尚、緩衝部材６を形成する材料は、シリコンゴムに限らず、例えば、天然ゴムやコイルバネ等であってもよい。
【００２９】
スペーサ７ａ、７ｂは、例えば樹脂等から形成され、トラバース機構３を筐体２の底面に対し一定の距離を隔てて保持すると共に、同トラバース機構３が筐体２の底面に平行な第１方向（奥行き方向及び幅方向）及び同底面に垂直な第２方向（厚さ方向）に変位することを規制する。具体的には、スペーサ７ａ、７ｂは、夫々、図６、図７に例示されるように、光ディスク装置１の厚さ方向に扁平な略円筒状の本体と、同本体を厚さ方向に貫通する第３軸孔７０と、同本体から第３軸孔７０と平行且つ上向きに突出し、トラバース機構３が第１方向へ変位することを規制する第１突出片７１ａ、７１ｂと、同本体から第３軸孔７０と垂直に突出し、トラバース機構３が第２方向へ変位することを規制する第２突出片７２ａ、７２ｂとを有している。また、例えば、第１突出片７１ａと第２突出片７２ａとは、互いの間隔が図６に例示される所定の間隔となるように、スペーサ７ａの本体の側面から延在している。同様に、第１突出片７１ｂと第２突出片７２ｂとは、互いの間隔が図７に例示される所定の間隔となるように、スペーサ７ｂの本体の側面から延在している。
【００３０】
以下、図４及び図５の例示に基づいて、トラバース機構３の第１軸孔５０ｃ、ネジ５、緩衝部材６、スペーサ７ｂ、及び筐体２の絞り部２４ｃの関係について説明する。
【００３１】
絞り部２４ｃに対しその第４軸孔２０に第３軸孔７０が重なるようにスペーサ７ｂが配置され、スペーサ７ｂに対しその第３軸孔７０に第２軸孔６０が重なるように緩衝部材６が配置され、緩衝部材６に対しその溝６１に第１軸孔５０ｃが嵌め込まれるようにトラバース機構３が配置されている。これにより、第１軸孔５０ｃと、第２軸孔６０と、第３軸孔７０と、第４軸孔２０とはネジ５を介して同軸となっている。尚、緩衝部材６の溝６１に対するトラバース機構３の第１軸孔５０ｃの嵌め込み作業は、第１軸孔５０ｃの前述した切欠を介して行なわれる。
【００３２】
先ず、第１軸孔５０ｃと、第２軸孔６０と、第３軸孔７０と、第４軸孔２０とがネジ５を介して同軸となっているが、ネジ５の雄ネジ部５ｂと雌ネジ５ｄとが螺合されていない段階では、スペーサ７ｂは、絞り部２４ｃ上で、ネジ５の軸部５ｃを回転軸として回動調節が可能であるため、例えば、第１突出片７１ｂがトラバース機構３の奥行き方向−側の端面に対向し、第２突出片７２ｂがトラバース機構３の厚さ方向−側（下側）の端面に対向するような姿勢をとることが可能である。これによって、緩衝部材６に振動や衝撃等が作用しても、トラバース機構３の第１突出片７１ｂ側への変位は、同トラバース機構３の端面が同突出片７１ｂに接触するまでの距離に規制される。また、緩衝部材６に振動や衝撃等が作用しても、トラバース機構３の第２突出片７２ｂ側への変位は、同トラバース機構３の端面が同突出片７２ｂに接触するまでの距離に規制される。
【００３３】
次に、ネジ５の雄ネジ部５ｂと雌ネジ５ｄとが螺合された段階では、ネジ５の頭部５ａと絞り部２４ｃの上面との間に、スペーサ７ｂ及び緩衝部材６を介してトラバース機構３が固定される。ネジ５の頭部５ａと絞り部２４ｃの上面との間の距離はネジ５の軸部５ｃの長さに保持されているため、緩衝部材６は、振動吸収の効果が低減する程度まで圧縮変形される事態が防止される。
【００３４】
尚、スペーサ７ｂは、前述した姿勢から回動し、第１突出片７１ｂ及び第２突出片７２ｂの向きが変わってしまうことを防止するため、例えば、図５及び図７に例示される突起７３を有し、同突起７３と、例えば絞り部２４ｃの上面に形成されている係止孔２０ａとの係止によって固定されている。ここで、他のスペーサ７ａについても同様に突起７３を有し（図６参照）、他の絞り部２４ａ、２４ｂ、２４ｄについても夫々同様に係止孔２０ａが形成されている（図２参照）。
【００３５】
同様に、絞り部２４ｄに対しても、第１軸孔５０ｄと、第２軸孔６０と、第３軸孔７０と、第４軸孔２０とが同軸になるように、トラバース機構３と、緩衝部材６と、スペーサ７ｂとが重ねられ、ネジ５によって固定されている。このとき、スペーサ７ｂは、例えば、第１突出片７１ｂがトラバース機構３の奥行き方向−側の端面に対向し、第２突出片７２ｂがトラバース機構３の下側の端面に対向した姿勢をとりつつ、突起７３及び係止孔２０ａの係止を介して絞り部２４ｄ上に固定されている。
【００３６】
同様に、絞り部２４ａに対しても、第１軸孔５０ａと、第２軸孔６０と、第３軸孔７０と、第４軸孔２０とが同軸になるように、トラバース機構３と、緩衝部材６と、スペーサ７ａとが重ねられ、ネジ５によって固定されている。このとき、スペーサ７ａは、例えば、第１突出片７１ａがトラバース機構３の略奥行き方向＋側の端面に対向し、第２突出片７２ａがトラバース機構３の下側の端面に対向した姿勢をとりつつ、突起７３及び係止孔２０ａの係止を介して絞り部２４ａ上に固定されている。
【００３７】
同様に、絞り部２４ｂに対しても、第１軸孔５０ｂと、第２軸孔６０と、第３軸孔７０と、第４軸孔２０とが同軸になるように、トラバース機構３と、緩衝部材６と、スペーサ７ａとが重ねられ、ネジ５によって固定されている。このとき、スペーサ７ａは、例えば、第１突出片７１ａがトラバース機構３の略幅方向＋側の端面に対向し、第２突出片７２ａがトラバース機構３の下側の端面に対向した姿勢をとりつつ、突起７３及び係止孔２０ａの係止を介して絞り部２４ｂ上に固定されている。
【００３８】
また、図１に例示されるように、本実施形態では、絞り部２４ａ、２４ｂの上側に、搬送機構４が配置されているため、絞り部２４ａ、２４ｂ上に設けられた前述した構成との干渉がないように、例えば、絞り部２４ａ、２４ｂは、絞り部２４ｃ、２４ｄよりも所定高さだけ低くなっている（図４参照）。このため、第２突出片７２ａ及びトラバース機構３の間の距離と、第２突出片７２ｂ及びトラバース機構３の間の距離とが互いに一致するように、第２突出片７１ａの先端は、前述した所定高さの分、第３軸孔７０と水平な方向へ屈曲した形状をなしている。これによって、トラバース機構３の第２方向への変位が、同トラバース機構３の４隅の間で均一に規制され、同トラバース機構３の水平姿勢が保持されるようになっている。
【００３９】
図８を参照しつつ、金属板２１で覆われた剛体基板が取り付けられた光ディスク装置１の構成について説明する。尚、同図は、剛体基板及び金属板２１が取り付けられた本実施形態に係る光ディスク装置１の斜視図である。
【００４０】
光ディスク装置１は、同装置１の内部において発生し、同装置１が内蔵されるテレビやオーディオ装置等に悪影響を及ぼす虞のある電磁波の伝播を抑制するため、また、同テレビやオーディオ装置等において発生し、光ディスク装置１に悪影響を及ぼす電磁波の伝播を抑制するため、これらの電磁波を遮蔽する金属板（筐体２、金属板４３）によって覆われている。  
また、光ディスク装置１は、露出面が金属板２１で覆われた剛体基板が、搬送機構４の奥行き方向−側に取り付けられ、筐体２の内部において、光ピックアップ３３からの可撓性基板３７と接続されている。  
これによって、剛体基板が取り付けられた光ディスク装置１を、外面が電磁波を遮蔽する金属板によって囲まれた状態で、前述したテレビやオーディオ装置等に内蔵することができる。
【００４１】
===トラバース機構の変位の抑制===
本実施形態に係る光ディスク装置１は、少なくとも、光ディスク１００を回転させる回転機構３９と、光ディスク１００にレーザ光を照射すると共にこのレーザ光の反射光を受光する光ピックアップ３３と、光ピックアップ３３を光ディスク１００の径方向（例えば動径方向Ｒ）に案内する案内機構３１とを有するトラバース機構３と、トラバース機構３が底面上に取り付けられる筐体２と、トラバース機構３と筐体２の底面との間に配置され、トラバース機構３に生じる振動を和らげる緩衝部材６と、筐体２の底面と緩衝部材６との間に配置され、緩衝部材６に振動が伝達されたときに、トラバース機構３の変位を規制する突出片（例えば第１突出片７１ａ、７１ｂ及び第２突出片７２ａ、７２ｂ）を有し、筐体２の底面とトラバース機構３との間の距離が一定となるようにトラバース機構３を保持するスペーサ７ａ、７ｂとを備えている。
【００４２】
この光ディスク装置１によれば、同装置１が例えば搬送や落下試験等の際に受けた衝撃が、たとえトラバース機構３の変位を伴う程度の緩衝部材６の変形を誘発するほど大きかったとしても、同トラバース機構３の実際の変位は、スペーサ７ａ、７ｂが有する突出片に同トラバース機構３が接触するまでの範囲に規制される。つまり、緩衝部材６によりトラバース機構３の振動を吸収可能であると共に、特に外的衝撃が作用した場合に、緩衝部材６を起因としたトラバース機構３の変位が抑制可能である。例えば、トラバース機構３がもし変位した場合にこれに起因する例えば光ピックアップ３３等の破壊が防止される。これは、光ディスク装置１の振動及び衝撃に対する耐久性の向上につながる。
【００４３】
また、この光ディスク装置１によれば、スペーサ７ａ、７ｂを備えているがために、筐体２の底面に同装置１の外部と通じる孔や切れ込み等を形成することなく、トラバース機構３と筐体２の底面との間に、互いが接触することを防ぐための間隙を形成することができる。これによって、光ディスク装置１は、電磁波を遮蔽しつつ、トラバース機構３と筐体２との間を振動及び衝撃が直接伝達することを防止できる。
【００４４】
また、前述した光ディスク装置１において、スペーサ７ａ、７ｂは、突出片として、筐体２の底面に平行な第１方向へトラバース機構３が変位することを規制する第１突出片７１ａ、７１ｂと、筐体２の底面に垂直な第２方向へトラバース機構３が変位することを規制する第２突出片７２ａ、７２ｂとを備えている。
【００４５】
この光ディスク装置１によれば、第１突出片７１ａ、７１ｂによってトラバース機構３の第１方向への変位が規制され、第２突出片７２ａ、７２ｂによって同トラバース機構３の第２方向への変位が規制されるため、同トラバース機構３の複数の方向の変位を規制でき、振動及び衝撃に対する耐性を高めることができる。
【００４６】
また、前述した光ディスク装置１において、トラバース機構３は、トラバース機構３、緩衝部材６、スペーサ７ａ、７ｂに夫々設けられた、第１軸孔５０ａ乃至５０ｄ、第２軸孔６０、第３軸孔７０を貫通し、トラバース機構３を緩衝部材６及びスペーサ７ａ、７ｂを介して筐体２の底面上に取り付けるための軸部材（例えばネジ５）を更に備えている。
【００４７】
この光ディスク装置１によれば、トラバース機構３、緩衝部材６、スペーサ７ａ、７ｂの夫々に形成され、例えば同軸となるように重ねられた、第１軸孔５０ａ乃至５０ｄ、第２軸孔６０、第３軸孔７０と、これらを貫通するネジ５とによる簡単な構成で、筐体２の底面上に緩衝部材６及びスペーサ７ａ、７ｂを介してトラバース機構３を取り付けることができる。
【００４８】
また、前述した光ディスク装置１において、トラバース機構３は、複数の端部の夫々に第１軸孔５０ａ乃至５０ｄを有し、スペーサ７ａ、７ｂは、トラバース機構３を筐体２の底面上に取り付けるべく、ネジ５が第１軸孔５０ａ乃至５０ｄ、第２軸孔６０、第３軸孔７０を貫通した際に、第１突出片７１ａ、７１ｂがトラバース機構３の第１方向の変位を規制する端面（例えば奥行き方向−側の端面）と対向すると共に第２突出片７２ａ、７２ｂがトラバース機構３の第２方向の変位を規制する端面（例えは厚さ方向−側の端面）と対向するように回動可能である。
【００４９】
この光ディスク装置１によれば、スペーサ７ａ、７ｂの回動によって、第１突出片７１ａ、７１ｂ及び第２突出片７２ａ、７２ｂの夫々のトラバース機構３の端面に対向する向きを調節できる。トラバース機構３は、端面が対向している第１突出片７１ａ、７１ｂ及び第２突出片７２ａ、７２ｂ側への変位が夫々規制されるため、例えば、トラバース機構３の端面に対して第１突出片７１ａ、７１ｂ及び第２突出片７２ａ、７２ｂの夫々が、異なる方向から対向するように配置されることによって、同トラバース機構３の変位を規制できる方向を増やすことができる。これによって、トラバース機構３の変位をより確実に規制でき、衝撃に対する耐性を高めることができる。
【００５０】
また、前述した光ディスク装置１において、筐体２の底面は、筐体２の内部側に突出する絞り部２４ａ乃至２４ｄを有し、絞り部２４ａ乃至２４ｄは、ネジ５が貫通する第４軸孔２０を有し、トラバース機構３は、ネジ５が第１軸孔５０ａ乃至５０ｄ、第２軸孔６０、第３軸孔７０、第４軸孔２０を貫通することによって、絞り部２４ａ乃至２４ｄ上に取り付けられている。
【００５１】
この光ディスク装置１によれば、図５に例示されるように、雌ネジ５ｄが、筐体２の外部における絞り部２４ａ乃至２４ｄの裏側に配置される。よって、例えば、互いに螺合した雄ネジ部５ｂ及び雌ネジ５ｄの厚さを、絞り部２４ａ乃至２４ｄの厚さより薄くすることで、互いに螺合した雄ネジ部５ｂ及び雌ネジ５ｄが同筐体２の外側に突出しない分だけ、光ディスク装置１を薄型化できる。また、絞り部２４ａ乃至２４ｄ及びスペーサ７ａ、７ｂによって、筐体２の底面に外部と通じる孔や切れ込み等を形成する必要がない上に、トラバース機構３と筐体２の底面との間に、互いが接触することを防ぐための間隙を形成することができる。これによって、スペーサ７ａ、７ｂの本体を薄くできる上に、電磁波を遮蔽しつつ、トラバース機構３と筐体２との間を振動及び衝撃が直接伝達することを防止できる。
【００５２】
===その他の実施形態===
前述した実施の形態は、本発明の理解を容易にするためのものであり、本発明を限定して解釈するためのものではない。本発明はその趣旨を逸脱することなく変更や改良等が可能であり、また本発明はその等価物も含むものである。
【００５３】
前述した光ディスク装置１では、第２突出片７２ａ、７２ｂは夫々、スペーサ７ａ、７ｂの本体の側面から延在していることとしたが、これに限定されるものではない。例えば、トラバース機構３の上面よりも光ディスク装置１の厚さ方向＋側に延在するようにした第１突出片７１ａ、７１ｂ夫々の側面から、トラバース機構３側に延在するように第２突出片７２ａ、７２ｂが夫々形成されてもよい。これによって、第２突出片７２ａ、７２ｂは夫々、トラバース機構３の上側の端面に対向し、同トラバース機構３の上側への変位を規制することができる。
【００５４】
また、前述した光ディスク装置１では、絞り部２４ａ乃至２４ｄ上において、夫々、第１突出片７１ｂはトラバース機構３の奥行き方向−側の端面に対向し、第１突出片７１ａはトラバース機構３の略奥行き方向＋側及び略幅方向＋側の端面に対向するように配置されていた。しかし、これに限定されるものではなく、前述したスペーサ７ａ、７ｂの回動調節によって、第１突出片７ａ、７ｂの夫々がトラバース機構３の変位を規制する端面に対向するような姿勢をとればよい。
【００５５】
また、前述した光ディスク装置１では、トラバース機構３の４隅に第１軸孔５０ａ乃至５０ｄが形成され、この第１軸孔５０ａ乃至５０ｄに応じた位置の筐体２の底面に夫々形成された絞り部２４ａ乃至２４ｄ上に、スペーサ７ａ、７ｂ及び緩衝部材６を介してトラバース機構３が取り付けられていた。しかし、これに限定されるものではなく、第１軸孔はトラバース機構３の少なくとも２ヶ所の端部に形成され、これらの第１軸孔に対応する絞り部の上に前述したようにトラバース機構３がスペーサ７ａ、７ｂ及び緩衝部材６を介して取り付けられればよい。
【００５６】
また、前述した光ディスク装置１では、第１突出片７１ａ、７１ｂは夫々１つの突出片であったが、これに限定されるものではく、トラバース機構３の端部に夫々異なる方向から対向するように形成された複数の突出片から第１突出片７１ａ、７１ｂが構成されていてもよい。これによって、トラバース機構３の変位を規制できる方向を増やすことができるため、同トラバース機構３の変位をより確実に規制し、衝撃に対する耐性をより一層高めることができる。尚、これは、第２突出片７２ａ、７２ｂについても同様である。
【符号の説明】
【００５７】
１    光ディスク装置
２    筐体
２０  第４軸孔
３    トラバース機構
３１  案内機構
３３  光ピックアップ
３９  回転機構
５    ネジ
５０ａ、５０ｂ、５０ｃ、５０ｄ  第１軸孔
６    緩衝部材
６０  第２軸孔
７ａ、７ｂ  スペーサ
７０  第３軸孔
７１ａ、７１ｂ  第１突出片
７２ａ、７２ｂ  第２突出片
１００  光ディスク
【図１】
2010170603.tif 000003
【図２】
2010170603.tif 000004
【図３】
2010170603.tif 000005
【図４】
2010170603.tif 000006
【図５】
2010170603.tif 000007
【図６】
2010170603.tif 000008
【図７】
2010170603.tif 000009
【図８】
2010170603.tif 000010